【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
繊維経糸及び繊維緯糸を備え、
前記繊維経糸より太く屈曲しにくく所定の機能を備える機能糸を備え
複数の繊維経糸に対し間欠的に機能糸をヘルドに通し、
筬（おさ）を構成するデンツの隣り合う２枚を間欠的に複数箇所で切り欠き、隣り合う２枚の薄板を同切り欠き部分で経糸の糸巻き側に変位させて配置し、この２枚の薄板間に前記機能糸を通過させ、
前記繊維緯糸を前記繊維経糸に織り込むことで、織物組織として構成されると共にこの織物組織の上に前記機能糸が上に載置される織物載置部を複数、緯糸方向に並べて形成し、
前記織物載置部の前記繊維経糸上に前記機能糸を配置し、
前記繊維緯糸の一部を前記機能糸の上を通過させることで前記織物載置部に前記機能糸を固定する織物の製造方法。
【請求項２】
前記機能糸が中空部を有するチューブ、中空部を有するスパイラルチューブ、光ファイバーまたは複合ケーブルのいずれかである請求項１記載の織物の製造方法。
【請求項３】
前記機能糸を前記織物載置部に固定した後、他の機能糸を前記中空部に挿通させる請求項２記載の織物の製造方法。
【請求項４】
前記他の機能糸は前記機能糸より伸長性の小さなものである請求項３記載の織物の製造方法。
【請求項５】
前記他の機能糸は光ファイバーまたは電線である請求項４記載の織物の製造方法。
【請求項６】
請求項１〜５のいずれかに記載の織物の製造方法により製造した織物であって、前記織物載置部は平織であり、前記機能糸が前記繊維経糸より５倍以上幅広である織物。
【請求項７】
繊維経糸及び繊維緯糸を備え、
前記繊維経糸より５倍以上幅広で太く屈曲しにくく所定の機能を備える機能糸を備え、
前記繊維緯糸を前記繊維経糸に織り込むことで、織物組織として構成されると共にこの織物組織の上に前記機能糸が上に載置される織物載置部を複数、緯糸方向に並べて形成し、
前記機能糸は経糸方向に配向されると共に緯糸方向に並んで前記織物載置部の前記繊維経糸上に配置され、
前記織物載置部は平織であり、
前記繊維緯糸の一部を前記機能糸の上を通過させることで前記織物載置部に前記機能糸を固定してある織物。
【請求項８】
前記機能糸が中空部を有するチューブ、中空部を有するスパイラルチューブ、光ファイバーまたは複合ケーブルのいずれかである請求項７記載の織物。
【請求項９】
前記織物載置部に固定された前記機能糸の中空部に、他の機能糸を挿通させてある請求項８記載の織物。
【請求項１０】
前記他の機能糸は前記機能糸より伸長性の小さなものである請求項９記載の織物。
【請求項１１】
前記他の機能糸は光ファイバーまたは電線である請求項１０記載の織物。
【請求項１２】
前記機能糸が、ポリオレフィン、ポリカーボネート、ポリアミド、ポリフェニレンサルファイド、ポリエーテルイミド、ポリエーテルケトン、ポリアミドイミド、ポリプロピレン、ＡＢＳのいずれかにより構成されている請求項６〜１１のいずれかに記載の織物。
【請求項１３】
前記繊維経糸及び前記繊維緯糸は、それぞれ、天然繊維又は合成樹脂製の繊維である請求項６〜１２のいずれかに記載の織物。
【手続補正２】
【補正対象書類名】明細書
【補正対象項目名】０００５
【補正方法】変更
【補正の内容】
【０００５】
上記目的を達成するため、本発明に係る織物の製造方法の特徴は、繊維経糸及び繊維緯糸を備え、前記繊維経糸より太く屈曲しにくく所定の機能を備える機能糸を備え複数の繊維経糸に対し間欠的に機能糸をヘルドに通し、筬（おさ）を構成するデンツの隣り合う２枚を間欠的に複数箇所で切り欠き、隣り合う２枚の薄板を同切り欠き部分で経糸の糸巻き側に変位させて配置し、この２枚の薄板間に前記機能糸を通過させ、前記繊維緯糸を前記繊維経糸に織り込むことで、織物組織として構成されると共にこの織物組織の上に前記機能糸が上に載置される織物載置部を複数、緯糸方向に並べて形成し、前記織物載置部の前記繊維経糸上に前記機能糸を配置し、前記繊維緯糸の一部を前記機能糸の上を通過させることで前記織物載置部に前記機能糸を固定することにある。
【手続補正３】
【補正対象書類名】明細書
【補正対象項目名】０００７
【補正方法】変更
【補正の内容】
【０００７】
本発明に係る織物の製造方法の特徴において、前記機能糸が中空部を有するチューブ、中空部を有するスパイラルチューブ、光ファイバーまたは複合ケーブルのいずれかであるとよい。そして、さらに、前記機能糸を前記織物載置部に固定した後、他の機能糸を前記中空部に挿通させるようにしてもよい。
例えば、図４６（ａ）に示すように、織物載置部の生地よりも伸長性が低く剛性の高い剛性機能糸３００を経糸方向Ｌに配向して織物に織り込んだ場合、織物は経糸方向Ｌにテンションで伸長され、この状態で、固定用第１緯度糸２０ｘ１、固定用第２緯度糸２０ｘ２等により固定される。しかし、織物載置部の生地自体はテンションの解放により縮小する一方、剛性機能糸３００は固定用第１緯度糸２０ｘ１、固定用第２緯度糸２０ｘ２等により固定された状態でほとんど縮小しない。その結果、同図（ｂ）に示すように、固定用第１緯度糸２０ｘ１、固定用第２緯度糸２０ｘ２の間で中間部３００ｍが突出し、織物全体としての外観が損なわれると共に、機能糸３００の機能も損なわれる虞がある。
しかし、中空部を有する機能糸を前記織物載置部に固定した後、他の機能糸を前記中空部に挿通させるようにすれば、中空部を有する機能糸は伸長性のある材料とすることで、織り込み・テンション解放後、中間部が突出するようなこともない。そして、他の機能糸をこの中空部に挿通することで、織物の外観を保ちながら、他の機能糸の屈曲による機能阻害も回避することが可能となる。
上記事情より、前記他の機能糸は前記機能糸より伸長性の小さなものとするとよい。また、前記他の機能糸には光ファイバーまたは電線等を用いることができる。
【手続補正４】
【補正対象書類名】明細書
【補正対象項目名】０００８
【補正方法】変更
【補正の内容】
【０００８】
本発明に係る織物の特徴は、上記いずれかに記載の織物の製造方法により製造した織物において、前記織物載置部は平織であり、前記機能糸が前記繊維経糸より５倍以上幅広としたことにある。
また、本発明に係る織物の他の特徴は、繊維経糸及び繊維緯糸を備え、前記繊維経糸より５倍以上幅広で太く屈曲しにくく所定の機能を備える機能糸を備え、前記繊維緯糸を前記繊維経糸に織り込むことで、織物組織として構成されると共にこの織物組織の上に前記機能糸が上に載置される織物載置部を複数、緯糸方向に並べて形成し、前記機能糸は経糸方向に配向されると共に緯糸方向に並んで前記織物載置部の前記繊維経糸上に配置され、前記織物載置部は平織であり、前記繊維緯糸の一部を前記機能糸の上を通過させることで前記織物載置部に前記機能糸を固定してあることにある。
【手続補正５】
【補正対象書類名】明細書
【補正対象項目名】００１１
【補正方法】変更
【補正の内容】
【００１１】
上記特徴において、前記機能糸が、中空部を有するチューブ、中空部を有するスパイラルチューブ、光ファイバーまたは複合ケーブルのいずれかを用いることができる。前記織物載置部に固定された前記機能糸の中空部に、他の機能糸を挿通させるとよい。前記他の機能糸は前記機能糸より伸長性の小さなものを用いるとよい。前記他の機能糸には光ファイバーまたは電線等を用いることができる。また、前記機能糸が、ポリオレフィン、ポリカーボネート、ポリアミド、ポリフェニレンサルファイド、ポリエーテルイミド、ポリエーテルケトン、ポリアミドイミド、ポリプロピレン、ＡＢＳのいずれかにより構成されていてもよい。前記繊維経糸及び前記繊維緯糸は、好ましくは、それぞれ、天然繊維又は合成樹脂製の繊維としてもよい。